(57)【要約】【課題】  画像全体と拡大表示している部分との関係を操作者が認識できるようにする【解決手段】  指定した画像を拡大縮小したり表示位置を移動して表示する１コマ表示画面１１０において、画像表示領域１１２の右上隅に画像表示領域１１２に表示されている部分の画像全体に対する位置や大きさを示す位置表示アイコン２００を表示する。位置表示アイコン２００は、画像全体の領域を示す外枠２００ｏｕｔと外枠２００ｏｕｔの内側に配置され画像表示領域１１２に表示されている部分の領域を示す内枠２００ｉｎと外枠２００ｏｕｔの外側に配置され画像表示領域１１２に表示する部分の移動可能な方向を示す移動可能方向マーク２００Ｕ，Ｄ，Ｌ，Ｒとにより構成されている。この結果、画像全体と拡大表示している部分との関係を操作者が認識できるようにすると共に画像の一部分を拡大表示する際の操作性を向上させることができる。【選択図】        図６
2005189674.tif 000002
【特許請求の範囲】
【請求項１】
接続された表示機器が有する表示画面上に画像を表示出力する画像表示出力装置であって、
所定の記憶媒体に記憶されている画像から表示出力する画像を指定する画像指定手段と、
該指定された画像の全領域のうち表示出力する表示領域を設定する表示領域設定手段と、
該設定された画像の表示領域を前記表示画面の第１所定領域に表示出力する画像表示出力手段と、
前記画像の全領域を表す全領域枠と該画像の表示領域を表す表示領域枠とを用いて該全領域に対する該表示領域の位置および大きさを示す位置表示用アイコンを前記表示画面の第２所定領域に表示出力するアイコン表示出力手段と、
を備える画像表示出力装置。
【請求項２】
請求項１記載の画像表示出力装置であって、
前記表示領域設定手段は、所定の指示がなされたときに前記画像の全領域に対する表示領域の位置を該指示に係る方向に変更して該表示領域を再設定する手段であり、
前記位置表示用アイコンは、方向を表す図形を用いて前記画像の全領域に対する表示領域の位置を変更可能な方向を示すアイコンである、
画像表示出力装置。
【請求項３】
前記位置表示用アイコンは、前記全領域枠の外側に前記方向を表す図形が配置されてなる請求項２記載の画像表示出力装置。
【請求項４】
前記表示領域設定手段は、所定の拡大指示がなされたときには前記画像の全領域に対する表示領域の大きさを現在の大きさよりも小さくして該表示領域を再設定し、所定の縮小指示がなされたときには前記画像の全領域に対する表示領域の大きさを現在の大きさよりも大きくして該表示領域を再設定する手段である請求項１ないし３いずれか記載の画像表示出力装置。
【請求項５】
前記位置表示用アイコンは、前記全領域枠の内側に前記表示領域枠が配置されてなる請求項１ないし４いずれか記載の画像表示出力装置。
【請求項６】
前記第２所定領域は、前記第１所定領域の内側に設けられてなる請求項１ないし５いずれか記載の画像表示出力装置。
【請求項７】
前記所定の記憶媒体を装着可能な記憶媒体装着手段を備える請求項１ないし６いずれか記載の画像表示出力装置。
【請求項８】
前記表示機器はテレビ受像機である請求項１ないし７いずれか記載の画像表示出力装置。
【請求項９】
請求項１ないし８いずれか記載の画像表示出力装置を備え、前記所定の記憶媒体に記憶されている画像を印刷する印刷実行手段を備える印刷装置。
【請求項１０】
請求項９記載の印刷装置であって、
操作者の操作に基づく操作情報を光信号に変換して送信する操作信号送信手段と、
該操作信号送信手段からの光信号を受光する受光部と該受光部で受光した光信号に基づいて前記操作情報を解析する情報解析部とを有する情報受信解析手段と、
該情報受信解析手段により解析された操作情報に基づいて前記画像表示出力装置と前記印刷実行手段とを制御する操作制御手段と、
を備える印刷装置。
【請求項１１】
請求項９または１０記載の印刷装置であって、
前記操作信号送信手段を備える操作信号送信機と、
前記画像表示出力装置と前記印刷実行手段と前記情報受信解析手段と前記操作制御手段とを単一の筐体に備える印刷装置本体と、
からなる印刷装置。
【請求項１２】
前記印刷装置本体は、外観が高さが２０ｃｍ以下で幅が６０ｃｍ以下で奥行きが６０ｃｍ以下の略箱形形状に形成されてなる請求項１１記載の印刷装置。
【請求項１３】
前記印刷装置本体は、側面の一方を正面とし、該正面から印刷用記録剤カートリッジを着脱することを特徴とする請求項１１または１２記載の印刷装置。
【請求項１４】
前記印刷装置本体は、側面の一方を正面とし、該正面から給排紙することを特徴とする請求項１１ないし１３いずれか記載の印刷装置。
【請求項１５】
表示画面上に画像を表示出力する画像表示出力方法であって、
（ａ）指定された画像の全領域のうち表示出力する表示領域を設定し、
（ｂ）該設定された画像の表示領域を前記表示画面の第１所定領域に表示出力し、
（ｃ）前記画像の全領域を表す全領域枠と該画像の表示領域を表す表示領域枠とを用いて該全領域に対する該表示領域の位置および大きさを示す位置表示用アイコンを前記表示画面の第２所定領域に表示出力する、
画像表示出力方法。
【請求項１６】
請求項１５記載の画像表示出力方法であって、
前記ステップ（ａ）は、所定の指示がなされたときに前記画像の全領域に対する表示領域の位置を該指示に係る方向に変更して該表示領域を再設定するステップであり、
前記位置表示用アイコンは、方向を表す図形を用いて前記画像の全領域に対する表示領域の位置を変更可能な方向を示すアイコンである、
画像表示出力方法。
【発明の詳細な説明】
【技術分野】
【０００１】
本発明は、画像表示出力装置およびこれを備える印刷装置、画像表示出力方法に関し、詳しくは、接続された表示機器が有する表示画面上に画像を表示出力する画像表示出力装置およびこれを備える印刷装置、こうした画像表示出力方法に関する。
【背景技術】
【０００２】
従来、この種の画像表示出力装置としては、ストレージから読み込んだ画像を家庭用のテレビ画面に表示すると共に所定の用紙に印刷するプリンタなどが提案されている（例えば、非特許文献１参照）。こうした装置では、テレビ画面に画像を表示する際には、画像の一部分を拡大して表示することにより、操作者が画像の詳細を確認できるようにしている。
【非特許文献１】松下電器産業株式会社、“Ｐａｎａｓｏｎｉｃ  ホームフォトプリンターＳＶ−ＡＰ１０”、［online］、［平成１５年１１月２２日検索］、インターネット＜ＵＲＬ：http://prodb.matsushita.co.jp/products/panasonic/SV/SV-AP10.html，http://prodb.matsushita.co.jp/products/panasonic/SV/SV-AP10_s.html＞
【発明の開示】
【発明が解決しようとする課題】
【０００３】
しかしながら、このように画像の一部分を拡大して表示する際には、画像の内容や拡大率によっては拡大表示している部分が画像全体のどの部分であるのか分からなくなってしまうことがある。例えば、風景画像における空や海などの部分を大きな拡大率で拡大表示する場合には、色などの変化が少ない部分のみを表示することになるから、風景画像全体のどの部分であるのか分かり難くなってしまう。この結果、一旦画像を縮小表示してどの部分であるのか確認すると共に表示する部分を所望の位置に移動してから再度拡大表示するなど、煩雑な操作が必要となってしまう。
【０００４】
本発明の画像表示出力装置およびこれを備える印刷装置、画像表示出力方法は、画像全体と拡大表示している部分との関係を操作者が認識できるようにすることを目的の一つとする。また、本発明の画像表示出力装置およびこれを備える印刷装置、画像表示出力方法は、画像の一部分を拡大表示する際の操作性を向上させることを目的の一つとする。
【課題を解決するための手段】
【０００５】
本発明の画像表示出力装置およびこれを備える印刷装置、画像表示出力方法は、上述の目的の少なくとも一部を達成するために以下の手段を採った。
【０００６】
本発明の画像表示出力装置は、
接続された表示機器が有する表示画面上に画像を表示出力する画像表示出力装置であって、
所定の記憶媒体に記憶されている画像から表示出力する画像を指定する画像指定手段と、
該指定された画像の全領域のうち表示出力する表示領域を設定する表示領域設定手段と、
該設定された画像の表示領域を前記表示画面の第１所定領域に表示出力する画像表示出力手段と、
前記画像の全領域を表す全領域枠と該画像の表示領域を表す表示領域枠とを用いて該全領域に対する該表示領域の位置および大きさを示す位置表示用アイコンを前記表示画面の第２所定領域に表示出力するアイコン表示出力手段と、
を備えることを要旨とする。
【０００７】
この本発明の画像表示出力装置では、指定された画像の表示領域を設定すると共にこの設定した表示領域を表示画面の第１所定領域に表示出力し、画像の全領域に対する表示領域の位置と大きさを示す位置表示用アイコンを表示画面の第２所定領域に表示出力する。したがって、操作者は、表示画面の第１所定領域に表示出力されている部分の画像全体に対する位置や大きさを第２所定領域に表示出力される位置表示用アイコンにより認識することができる。この結果、画像の一部分を拡大表示する際の操作性を向上させることができる。ここで「表示機器」としては、テレビ受像機などを挙げることができる。
【０００８】
こうした本発明の画像表示出力装置において、前記表示領域設定手段は所定の指示がなされたときに前記画像の全領域に対する表示領域の位置を該指示に係る方向に変更して該表示領域を再設定する手段であり、前記位置表示用アイコンは方向を表す図形を用いて前記画像の全領域に対する表示領域の位置を変更可能な方向を示すアイコンであるものとすることもできる。こうすれば、操作者は、画像の表示領域の位置を変更可能な方向を位置表示用アイコンにより認識することができる。この結果、より一層、画像の一部分を拡大表示する際の操作性を向上させることができる。なお「図形」には、文字や記号などが含まれる。この態様の本発明の画像表示出力装置において、前記位置表示用アイコンは前記全領域枠の外側に前記方向を表す図形が配置されてなるものとすることもできる。
【０００９】
また、本発明の画像表示出力装置において、前記表示領域設定手段は、所定の拡大指示がなされたときには前記画像の全領域に対する表示領域の大きさを現在の大きさよりも小さくして該表示領域を再設定し、所定の縮小指示がなされたときには前記画像の全領域に対する表示領域の大きさを現在の大きさよりも大きくして該表示領域を再設定する手段であるものとすることもできる。こうすれば、所定の拡大指示や縮小指示に伴って表示領域を小さくしたり大きくしたりすることができる。
【００１０】
さらに、本発明の画像表示出力装置において、前記位置表示用アイコンは、前記全領域枠の内側に前記表示領域枠が配置されてなるものとすることもできる。こうすれば、全領域枠とこの全領域枠の内側に配置された表示領域枠とにより全領域に対する表示領域の位置および大きさを示すことができる。
【００１１】
こうした本発明の画像表示出力装置において、前記第２所定領域は、前記第１所定領域の内側に設けられてなるものとすることもできる。こうすれば、第２所定領域を第１所定領域の外側に設ける場合と比較して、第１所定領域をより大きな領域として表示画面上に設定することができる。
【００１２】
また、本発明の画像表示出力装置において、前記所定の記憶媒体を装着可能な記憶媒体装着手段を備えるものとすることもできる。
【００１３】
本発明の印刷装置は、上述したいずれかの態様の本発明の画像表示出力装置、即ち、基本的には、接続された表示機器が有する表示画面上に画像を表示出力する画像表示出力装置であって、所定の記憶媒体に記憶されている画像から表示出力する画像を指定する画像指定手段と、該指定された画像の全領域のうち表示出力する表示領域を設定する表示領域設定手段と、該設定された画像の表示領域を前記表示画面の第１所定領域に表示出力する画像表示出力手段と、前記画像の全領域を表す全領域枠と該画像の表示領域を表す表示領域枠とを用いて該全領域に対する該表示領域の位置および大きさを示す位置表示用アイコンを前記表示画面の第２所定領域に表示出力するアイコン表示出力手段と、を備える画像表示出力装置を備え、前記所定の記憶媒体に記憶されている画像を印刷する印刷実行手段を備えることを要旨とする。
【００１４】
この本発明の印刷装置では、上述したいずれかの態様の本発明の画像表示出力装置を備えるから、本発明の画像表示出力装置が奏する効果、例えば、表示画面の第１所定領域に表示出力されている部分の画像全体に対する位置や大きさを第２所定領域に表示出力される位置表示用アイコンにより認識することができる効果や、画像の表示領域の位置を変更可能な方向を位置表示用アイコンにより認識することができる効果や、画像の一部分を拡大表示する際の操作性を向上させることができる効果などを奏することができる。
【００１５】
こうした本発明の印刷装置において、操作者の操作に基づく操作情報を光信号に変換して送信する操作信号送信手段と、該操作信号送信手段からの光信号を受光する受光部と該受光部で受光した光信号に基づいて前記操作情報を解析する情報解析部とを有する情報受信解析手段と、該情報受信解析手段により解析された操作情報に基づいて前記画像表示出力装置と前記印刷実行手段とを制御する操作制御手段と、を備えるものとすることもできる。
【００１６】
この態様の本発明の印刷装置において、前記操作信号送信手段を備える操作信号送信機と、前記画像表示出力装置と前記印刷実行手段と前記情報受信解析手段と前記操作制御手段とを単一の筐体に備える印刷装置本体と、からなるものとすることもできる。こうすれば、印刷装置本体から離れた場所で操作を行なうことができる。この場合、前記印刷装置本体は外観が高さが２０ｃｍ以下で幅が６０ｃｍ以下で奥行きが６０ｃｍ以下の略箱形形状に形成されてなるものとすることもできる。また、前記印刷装置本体は、側面の一方を正面とし、該正面から印刷用記録剤カートリッジを着脱することを特徴とするものとすることもできるし、該正面から給排紙することを特徴とするものとすることもできる。
【００１７】
本発明の画像表示出力方法は、
表示画面上に画像を表示出力する画像表示出力方法であって、
（ａ）指定された画像の全領域のうち表示出力する表示領域を設定し、
（ｂ）該設定された画像の表示領域を前記表示画面の第１所定領域に表示出力し、
（ｃ）前記画像の全領域を表す全領域枠と該画像の表示領域を表す表示領域枠とを用いて該全領域に対する該表示領域の位置および大きさを示す位置表示用アイコンを前記表示画面の第２所定領域に表示出力する、
ことを要旨とする。
【００１８】
この本発明の画像表示出力方法では、指定された画像の表示領域を設定すると共にこの設定した表示領域を表示画面の第１所定領域に表示出力し、画像の全領域に対する表示領域の位置と大きさを示す位置表示用アイコンを表示画面の第２所定領域に表示出力する。したがって、操作者は、表示画面の第１所定領域に表示出力されている部分の画像全体に対する位置や大きさを第２所定領域に表示出力される位置表示用アイコンにより認識することができる。この結果、画像の一部分を拡大表示する際の操作性を向上させることができる。
【００１９】
こうした本発明の画像表示出力方法において、前記ステップ（ａ）は所定の指示がなされたときに前記画像の全領域に対する表示領域の位置を該指示に係る方向に変更して該表示領域を再設定するステップであり、前記位置表示用アイコンは方向を表す図形を用いて前記画像の全領域に対する表示領域の位置を変更可能な方向を示すアイコンであるものとすることもできる。こうすれば、操作者は、画像の表示領域の位置を変更可能な方向を位置表示用アイコンにより認識することができる。この結果、より一層、画像の一部分を拡大表示する際の操作性を向上させることができる。なお「図形」には、文字や記号などが含まれる。
【発明を実施するための最良の形態】
【００２０】
次に、本発明を実施するための最良の形態を実施例を用いて説明する。
【実施例】
【００２１】
図１は本発明の一実施例としての印刷装置２０を備える印刷システム１０の構成の概略を示す構成図であり、図２は実施例の印刷装置２０のメイン基板３０を中心として印刷システム１０の機能ブロックを示すブロック図である。実施例の印刷装置２０は、ケーブル１４を介して接続されたテレビ受像機１２と共に印刷システム１０を構成しており、印刷装置本体２２と、印刷装置本体２２を遠隔操作するための発光部９２を備えるリモートコントロールユニット（以下、リモコンと称す）９０とにより構成されている。印刷装置本体２２は、高さが５〜２０ｃｍで幅が２２〜６０ｃｍで奥行きが１０〜６０ｃｍ（実施例では高さ１５ｃｍ、幅５０ｃｍ、奥行き５０ｃｍ）の箱形とし、側面の一方が正面２３となるよう構成されており、この正面２３には、給排紙やインクカートリッジの着脱を正面から行なうための開口部が設けられカバー２４が取り付けられている。また、正面２３の左部には、リモコン９０から送信された光信号（赤外線光信号）を受信するための受光部２６を備える操作パネル２５が設けられており、その下部にはコンパクトフラッシュ（サンディスク株式会社の登録商標）やＳＤ（Secure Digital）メモリカード，スマートメディアなどのＰＣカード１５を装着するカードスロット２７が設けられている。
【００２２】
実施例の印刷装置２０のメイン基板３０は、図２に示すように、印刷装置２０全体を制御するメイン制御ユニット３２を中心として構成されており、処理プログラムを記憶するＲＯＭ３４、処理に必要なデータを一時的に記憶するＳＤＲＡＭ３６、操作パネル２５からの操作信号や受光部２６で受光した光信号を解析してコード化すると共にカードスロット２７に装着されたＰＣカード１５との入出力を制御するカード操作部制御ユニット３８、ＶＲＡＭ４２を用いてテレビ受像機１２への表示出力を制御するビデオチップ４０、印刷ヘッド６３を動かすキャリッジモータ６０や紙送り用のＰＦモータ６１，ポンプモータ６２などを駆動するモータドライバ４４、印刷ヘッド６３の駆動用波形を生成するヘッド用ＤＡＣ４６、デジタルスチルカメラやＣＤ−Ｒドライブなどの周辺機器１７と接続するためのホスト用ＵＳＢコネクタ４８、コンピュータ（ＰＣ）１６などと接続するためのデバイス用ＵＳＢコネクタ５０、キャリッジの位置を検出するＣＲエンコーダ６４や紙送りの位置を検出するＰＦエンコーダ６５，ＤＶＤトレーにおけるＤＶＤの有無を検出するＤＶＤトレー検出センサ６６，紙送り機構における用紙の有無を検出する用紙検出センサ６７，用紙トレーにおける用紙の有無を検出する用紙トレー検出センサ６８，カバー２４が開いているのを検出するカバーオープンセンサ６９などの各種センサの接続コネクタ、電源１９への接続コネクタなどが設けられている。これらの各ユニットやコネクタは、バスや信号ラインを介してメイン制御ユニット３２に接続されている。
【００２３】
メイン制御ユニット３２は、カード操作部制御ユニット３８を介してＰＣカード１５から入力した画像ファイルやホスト用ＵＳＢコネクタ４８を介して周辺機器１７から入力した画像ファイルなどをファイル形式に応じて展開すると共にレイアウト処理を行なって印刷イメージを作成しこの印刷イメージに対してＣＭＹＫへの色変換や２値化などの処理を行なって印刷ヘッド６３により印刷可能なデータに変換して印刷を実行したり、デバイス用ＵＳＢコネクタ５０を介してＰＣ１６から入力したプリンタ制御用コマンドと印刷データとに基づいて印刷を実行したりする。また、メイン制御ユニット３２は、こうした印刷の実行に関する処理だけでなく、画像ファイルの入出力やレイアウトの設定，印刷条件の設定などの各種操作をテレビ受像機１２への画面表示と受光部２６や操作パネル２５からの操作信号の入力とにより行なう際の各種処理も実行する。
【００２４】
次に、こうして構成された実施例の印刷装置２０の動作、特に印刷しようとする画像をテレビ受像機１２へ画面表示する際の動作について説明する。図３は、ＰＣカード１５に記憶されている画像などの中から指定した画像を印刷する１コマ印刷処理の一例を示すフローチャートである。この処理は、印刷装置２０の電源が投入され所定の初期動作を行なった後やリモコン９０などのボタン操作により１コマ印刷処理の実行を指示されたときなどにメイン制御ユニット３２により実行される。
【００２５】
１コマ印刷処理では、まず、図３に示すように、カードスロット２７に装着されたＰＣカード１５に記憶されている画像ファイルを読み込んで画像の一覧表示を行なう（ステップＳ１００）。画像の一覧表示は、実施例では、図４に例示する一覧表示画面１００をテレビ受像機１２に表示出力するものとした。一覧表示画面１００は、図示するように、画像を一覧表示する一覧表示領域１０２とリモコン９０のボタン操作を説明する操作説明領域１０４とにより画面構成されている。こうした一覧表示画面１００は、ＲＯＭ３４に予め記憶された画面フレームやＰＣカード１５から読み込まれた画像ファイルの表示用画像（サムネイルやリサイズした画像）をビデオチップ４０を介してＶＲＡＭ４２に書き込むことによりテレビ受像機１２に表示出力している。
【００２６】
そして、一覧表示された画像のいずれかにフォーカスフレームが合わせられリモコン９０の「ＯＫ」ボタンが押されると、フォーカスフレームが合わせられた画像が指定されたと判断してこの画像を１コマ表示する（ステップＳ１１０）。画像の１コマ表示は、実施例では、図５に例示する１コマ表示画面１１０をテレビ受像機１２に表示出力するものとした。１コマ表示画面１１０は、図示するように、指定された画像を表示する画像表示領域１１２とリモコン９０のボタン操作を説明する操作説明領域１１４とにより画面構成されている。なお、画像表示領域１１２に表示される画像は、ＰＣカード１５から読み込まれた画像ファイルを画像表示領域１１２のサイズにリサイズしてビデオチップ４０を介してＶＲＡＭ４２に書き込むことにより表示される。
【００２７】
このように指定された画像が１コマ表示されている状態で、リモコン９０の「拡大／縮小」ボタンや４方向ボタンが押されると、押されたボタンの種類に応じて画像を拡大／縮小表示したり表示位置を移動したりする（ステップＳ１２０，Ｓ１３０）。まず、「拡大／縮小」ボタンが押された場合について考える。
【００２８】
リモコン９０の「拡大／縮小」ボタンが押されると、所定の拡大／縮小率で画像を拡大／縮小して１コマ表示画面１１０の画像表示領域１１２に表示出力する（ステップＳ１３０）。図６は、図５の状態からリモコン９０の「拡大」ボタンが押されたときの１コマ表示画面１１０の一例を示す説明図である。図示するように、１コマ表示画面１１０の画像表示領域１１２には拡大した画像が表示され、画像表示領域１１２の右上隅にはこの画像表示領域１１２に表示されている部分の画像全体に対する位置や大きさを示す位置表示アイコン２００が表示されている。画像表示領域１１２に表示される拡大した画像は、画像全体から拡大して表示する部分を切り出すと共にこの切り出した部分を画像表示領域１１２のサイズにリサイズしてビデオチップ４０を介してＶＲＡＭ４２に書き込むことにより表示される。位置表示アイコン２００は、図示するように、画像全体の領域を示す外枠２００ｏｕｔと、この外枠２００ｏｕｔの内側に配置され画像表示領域１１２に表示されている部分の領域を示す内枠２００ｉｎと、外枠２００ｏｕｔの外側に配置され画像表示領域１１２に表示する部分の移動可能な方向（上下左右方向）を示す移動可能方向マーク２００Ｕ，Ｄ，Ｌ，Ｒとにより構成されている。また、図７に示すように、位置表示アイコン２００の内枠２００ｉｎと外枠２００ｏｕｔとの大きさおよび位置の関係は、画像表示領域１１２に表示している部分と画像全体との関係と同一となるようになっている。したがって、図８に示すように、図７の状態からさらにリモコン９０の「拡大」ボタンが押されると、画像表示領域１１２に表示される画像はさらに拡大し位置表示アイコン２００の内枠２００ｉｎは小さくなる。このように、位置表示アイコン２００により、操作者は、画像表示領域１１２に表示している部分の画像全体に対する位置や大きさを確認することができるのである。なお、位置表示アイコン２００は、画像表示領域１１２に表示している画像の拡大／縮小率や表示している部分の画像全体に対する位置（座標）などに基づいて内枠２００ｉｎの外枠２００ｏｕｔに対する大きさや位置を定めて生成し、ビデオチップ４０を介してＶＲＡＭ４２に書き込まれ拡大した画像などと併せて画像表示領域１１２に表示される。
【００２９】
次に、１コマ表示画面１１０が表示出力されている状態で、リモコン９０の４方向ボタンが押された場合について考える。リモコン９０の４方向ボタンが押されると、画像表示領域１１２に表示する部分を押されたボタンの方向に所定距離だけ移動して画像表示領域１１２に表示出力する（ステップＳ１３０）。図９は、図８の状態からリモコン９０の４方向ボタンのうち右方向ボタンが押されたときの１コマ表示画面１１０の一例を示す説明図である。図示するように、画像表示領域１１２には右方向に所定距離だけ移動した部分の画像が表示され、位置表示アイコン２００の内枠２００ｉｎは所定距離に対応する距離だけ右方向に移動している。図１０は、図９の状態からさらにリモコン９０の右方向ボタンが数回押され、画像表示領域１１２に表示する部分が画像の右端に達したときの１コマ表示画面１１０の一例を示す説明図である。図示するように、このときの位置表示アイコン２００は、内枠２００ｉｎが外枠２００ｏｕｔ内の最右端に配置されると共に移動可能な方向を示す移動可能方向マークのうち右方向を示す移動可能方向マーク２００Ｒが非表示となる。このように、位置表示アイコン２００により、操作者は、画像表示領域１１２に表示する部分の移動可能な方向を確認することができるのである。なお、このように右方向を示す移動可能方向マーク２００Ｒなどを非表示として位置表示アイコン２００を表示する際には、画像表示領域１１２に表示している部分の画像全体に対する位置に基づいて移動可能な方向を判定し、移動可能な方向を示す移動可能方向マークのみを表示するように位置表示アイコン２００を生成している。
【００３０】
そして、１コマ表示画面１１０が表示出力されている状態でリモコン９０の「印刷」ボタンが押されると、印刷処理を実行して（ステップＳ１４０）、この１コマ印刷処理を終了する。印刷処理は、所定の設定用画面をテレビ受像機１２に表示出力して印刷枚数や印刷用紙の設定を行なったりＰＣカード１５などから画像ファイルを読み込んで印刷用紙に印刷したりする処理である。こうした処理は、一般的なインクジェットプリンタにおける処理と同様であり、本発明の中核をなさないから、これ以上の詳細な説明は省略する。
【００３１】
以上説明した実施例の印刷装置２０によれば、１コマ表示画面１１０の画像表示領域１１２に画像を表示する際に、表示されている部分の画像全体に対する位置や大きさを示す位置表示アイコン２００を表示することができる。この結果、操作者は、画像表示領域１１２に表示している部分の画像全体に対する位置や大きさを確認することができる。また、位置表示アイコン２００は、画像表示領域１１２に表示する部分の移動可能な方向を示す移動可能マーク２００Ｕ，Ｄ，Ｌ，Ｒを有するから、操作者は、画像表示領域１１２に表示する部分の移動可能な方向を確認することができる。これらの結果、１コマ表示画面１１０を用いて画像の一部分を拡大表示する際の操作性を向上させることができる。また、位置表示アイコン２００を画像表示領域１１２の右上隅に表示するから、画像表示領域１１２の外側に表示する場合と比較して、画像表示領域１１２をより大きな領域として１コマ表示画面１１０上に設定することができる。この結果、拡大する画像をより大きく表示することができる。
【００３２】
ここで、実施例の印刷装置２０では、リモコン９０やステップＳ１００の処理を実行するメイン制御ユニット３２が画像指定手段に相当し、リモコン９０やステップＳ１１０〜Ｓ１３０の処理を実行するメイン制御ユニット３２が表示領域設定手段に相当し、メイン制御ユニット３２やビデオチップ４０が画像表示出力手段やアイコン表示出力手段に相当し、ステップＳ１４０の印刷処理を実行するメイン制御ユニット３２やモータドライバ４４，ヘッド用ＤＡＣ４６などが印刷実行手段に相当する。また、画像全体のうち１コマ表示画面１１０の画像表示領域１１２に表示する部分が表示領域に相当し、画像表示領域１１２が第１所定領域に相当し、位置表示アイコン２００を表示する画像表示領域１１２の右上隅の領域が第２所定領域に相当し、位置表示アイコン２００の外枠２００ｏｕｔが全領域枠に相当し、内枠２００ｉｎが表示領域枠に相当する。
【００３３】
実施例の印刷装置２０では、位置表示アイコン２００は、移動可能方向マーク２００Ｕ，Ｄ，Ｌ，Ｒを外枠２００ｏｕｔの外側に配置するものとしたが、方向を表す図形を用いて表示する部分の移動可能な方向を示すものであればよく、例えば、図１１に示す変形例の位置表示アイコン２００Ｂのように、上下左右方向の矢印を内枠２００ｉｎの周囲に配置するものとしてもよい。さらに、位置表示アイコン２００を外枠２００ｏｕｔと内枠２００ｉｎのみで構成し、移動可能方向マーク２００Ｕ，Ｄ，Ｌ，Ｒを有さないものとしても差し支えない。また、外枠２００ｏｕｔの内側に内枠２００ｉｎを配置するものとしたが、表示されている部分の画像全体に対する位置および大きさを示すことができれば、外枠２００ｏｕｔと内枠２００ｉｎとをどのように配置しても構わない。
【００３４】
実施例の印刷装置２０では、位置表示アイコン２００は、画像表示領域１１２の右上隅に表示するものとしたが、画像表示領域１１２内の他の部分に表示するものとしてもよいし、画像表示領域１１２外のその他の領域に表示するものとしても差し支えない。
【００３５】
実施例の印刷装置２０では、リモコン９０の「拡大／縮小」ボタンや４方向ボタンのボタン操作により画像を拡大／縮小表示したり表示位置を移動したりするものとしたが、その他の操作により画像表示領域１１２に表示する部分の位置や大きさを変更するものであっても構わないのは勿論である。いずれの場合でも、本発明を適用して位置表示アイコン２００の表示などを行なうことにより、操作者は、画像表示領域１１２に表示している部分の画像全体に対する位置や大きさ、移動可能な方向を確認することができるのである。
【００３６】
実施例の印刷装置２０では、印刷装置本体２２の外形を高さが２０ｃｍ以下で幅が６０ｃｍ以下で奥行きが６０ｃｍ以下としたが、こうした外形に限定されるものではなく、如何なる形状をしていても構わない。
【００３７】
実施例の印刷装置２０では、側面の一方を正面２３とし、正面２３からインクカートリッジの着脱を行なったり、給排紙するものとしたが、インクカートリッジの着脱を他の部位から行なうものとしたり、給排紙を他の部位から行なうものとしても差し支えない。
【００３８】
実施例の印刷装置２０では、ビデオチップ４０からの表示出力の出力先としてケーブル１４を介して接続されたテレビ受像機１２としたが、他の如何なる表示機器を表示出力の出力先としても構わない。
【００３９】
実施例では、画像を拡大表示する際に表示されている部分の画像全体に対する位置や大きさを示す位置表示アイコンを表示する本発明を印刷装置２０の形態として説明したが、テレビ受像機１２などの表示画面上への画像表示を専用に行なう画像表示出力装置の形態としたり、こうした画像表示を行なうデジタルスチルカメラやＤＶＤビデオレコーダなどの各種装置の形態とすることもできる。また、画像表示出力方法の形態としても構わない。
【００４０】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【００４１】
【図１】印刷装置２０を備える印刷システム１０の構成の概略を示す構成図。
【図２】印刷システム１０の機能ブロックを示すブロック図。
【図３】１コマ印刷処理の一例を示すフローチャート。
【図４】一覧表示画面１００の一例を示す説明図。
【図５】１コマ表示画面１１０の一例を示す説明図。
【図６】画像を拡大したときの１コマ表示画面１１０の一例を示す説明図。
【図７】表示している画像と位置表示アイコン２００との関係を示す説明図。
【図８】画像を拡大したときの１コマ表示画面１１０の一例を示す説明図。
【図９】表示位置を移動したときの１コマ表示画面１１０の一例を示す説明図。
【図１０】表示位置を移動したときの１コマ表示画面１１０の一例を示す説明図。
【図１１】変形例の位置表示アイコン２００Ｂの一例を示す説明図。
【符号の説明】
【００４２】
１０  印刷システム、１２  テレビ受像機、１４  ケーブル、１５  ＰＣカード、１６  ＰＣ、１７  周辺機器、１９  電源、２０  印刷装置、２２  印刷装置本体、２３  正面、２４  カバー、２５  操作パネル、２６  受光部、２７  カードスロット、３０  メイン基盤、３２  メイン制御ユニット、３４  ＲＯＭ、３６  ＳＤＲＡＭ、３８  カード操作部制御ユニット、４０  ビデオチップ、４２  ＶＲＡＭ、４４  モータドライバ、４６  ヘッド用ＤＡＣ、４８  ホスト用ＵＳＢコネクタ、５０  デバイス用ＵＳＢコネクタ、６０  ＣＲモータ、６１  ＰＦモータ、６２  ポンプモータ、６３  ヘッド、６４  ＣＲエンコーダ、６５  ＰＦエンコーダ、６６  ＤＶＤトレー検出センサ、６７  用紙検出センサ、６８  用紙トレー検出センサ、６９  カバーオープンセンサ、９０  リモコン、９２  発光部、１００  一覧表示画面、１０２  一覧表示領域、１０４  操作説明領域、１１０  １コマ表示画面、１１２  画像表示領域、１１４  操作説明領域、２００，２００Ｂ  位置表示アイコン、２００ｉｎ  内枠、２００ｏｕｔ  外枠、２００Ｕ，Ｄ，Ｌ，Ｒ  移動可能方向マーク。
【図１】
2005189674.tif 000003
【図２】
2005189674.tif 000004
【図３】
2005189674.tif 000005
【図４】
2005189674.tif 000006
【図５】
2005189674.tif 000007
【図６】
2005189674.tif 000008
【図７】
2005189674.tif 000009
【図８】
2005189674.tif 000010
【図９】
2005189674.tif 000011
【図１０】
2005189674.tif 000012
【図１１】
2005189674.tif 000013